(57)【要約】頭部拘束組立体１０は、保持部材３０を含むフレーム組立体２０を備えている。枕４０がフレーム組立体２０に連結され、枕４０は保持部材３０への接近を許すように形成される。後方端５９および前方端５７を有するカバー組立体５０は、枕４０を包囲しかつその形状に順応する。カバー組立体は後方端５９に連結された平坦ストリップ部材６２と、カバー組立体の前方端５７に連結された鈎状ストリップ部材６４とを含む。平坦ストリップ部材６２および鈎状ストリップ部材６４は、保持部材３０内で互いに連結され、枕４０上でカバー組立体を閉じる。また、頭部拘束組立体を製造擦る方法が開示される。
2005536280.tif 000002
【特許請求の範囲】
【請求項１】
頭部拘束組立体を製造する方法であって、
枕を設ける工程、
前記枕を真空機械に乗せる工程、
前記枕をバッグで覆う工程、
前記バッグ内の枕から真空機械によって空気を引き抜く工程、
前方端および後方端をもつ面パネルを有するカバー組立体を設ける工程、
前記枕上に前記カバー組立体を置く工程、
前記バッグおよびカバー組立体内にある前記枕に空気を入れて該枕が前記カバー組立体内で膨張するようにする工程、
前記バッグを調整する工程、
フレーム組立体を設ける工程、
前記フレーム組立体を前記枕に挿入する工程、
前記カバー組立体の面パネルの後方端を前記フレーム組立体に挿入する工程、ならびに
前記カバー組立体の面パネルの前方端を前記フレーム組立体に挿入し、前記カバー組立体の面パネルの前方端および後方端を前記フレーム組立体内で連結する工程、
を含む頭部拘束組立体製造方法。
【請求項２】
平坦ストリップ部材を前記カバー組立体の面パネルの後方端に縫い付ける工程、および
鈎状ストリップ部材を前記カバー組立体の面パネルの前方端に縫い付ける工程、
を含む請求項１に記載の頭部拘束組立体製造方法。
【請求項３】
前記鈎状ストリップ部材から離間された距離で前記面パネルの前方端上にフラップを形成する工程を含む、請求項１に記載の頭部拘束組立体製造方法。
【請求項４】
前記離間された距離は１１ｍｍと１６ｍｍとの間にある、請求項３に記載の頭部拘束組立体製造方法。
【請求項５】
前記フレーム組立体を前記枕に挿入した後、前記頭部拘束組立体をバイス・ジグに置く工程、
前記頭部拘束組立体を前記バイス・ジグによって圧縮する工程、および
前記面パネルの前方端を前記フレーム組立体に挿入する工程後、前記頭部拘束組立体を前記バイス・ジグから解放する工程、
を含む、請求項１に記載の頭部拘束組立体製造方法。
【請求項６】
前記フレーム組立体および枕に接着剤を塗布して移動を防止する工程を含む、請求項５に記載の頭部拘束組立体製造方法。
【請求項７】
前記カバー組立体は、織物、ポリ塩化ビニル、および革を含む群から選択された材料からなる、請求項１に記載の頭部拘束組立体製造方法。
【請求項８】
フレーム組立体、該フレーム組立体に連結された枕、ならびに前方端および後方端を有するカバー組立体を含む頭部拘束組立体のカバー組立体の一部分を保持する保持装置であって、
前記カバー組立体の後方端に連結された平坦ストリップ部材と、
前記カバー組立体の前方端に連結された鈎状ストリップ部材と、ならびに
前記フレーム組立体に連結されていて、前記平坦ストリップ部材および前記鈎状ストリップ部材を受けかつ保持するように形成された保持部材とを備え、前記カバー組立体の端が前記保持部材に食い込まされている、
保持装置。
【請求項９】
前記保持部材に配置されかつ前記カバー組立体の前方端および後方端に接触するように形成された接着剤ビードを含む、請求項８に記載の保持装置。
【請求項１０】
前記カバー組立体の前方端に縫い付けフラップを含み、該縫い付けフラップが前記平坦ストリップ部材および鈎状ストリップ部材を前記保持部材内に隠すように形成されている、請求項８に記載の保持装置。
【請求項１１】
前記縫い付けフラップは、１１ｍｍと１６ｍｍとの間の離間距離で前記鈎状ストリップ部材から配置されている、請求項１０に記載の保持装置。
【請求項１２】
前記保持部材は工業用プラスチックからなる、請求項８に記載の保持装置。
【請求項１３】
前記保持部材は鋼からなる、請求項８に記載の保持装置。
【請求項１４】
前記カバー組立体は、織物、ポリ塩化ビニル、および革を含む群から選択された材料からなる、請求項８に記載の保持装置。
【請求項１５】
頭部拘束組立体であって、
保持部材を含むフレーム組立体と、
前記フレーム組立体に連結されかつ前記保持部材への接近を許すように形成された枕と、ならびに
後方端および前方端を有するカバー組立体とからなり、
前記カバー組立体は前記枕を包囲しかつ枕の形状に順応し、前記カバー組立体は前記後方端に連結された平坦ストリップ部材と、前記前方端に連結された鈎状ストリップ部材とを含み、前記両ストリップ部材が前記保持部材内で互いに連結して前記カバー組立体を閉じる、
頭部拘束組立体。
【請求項１６】
前記フレーム組立体上での前記枕の移動を防止するように、前記フレーム組立体に配置されかつ前記枕に接触するように形成された接着剤のビードを含む、請求項１５に記載の頭部拘束組立体。
【請求項１７】
前記カバー組立体の前方端にフラップを含み、該フラップが前記平坦ストリップ部材および鈎状ストリップ部材を前記保持部材内に隠すように形成されている、請求項１５に記載の頭部拘束組立体。
【請求項１８】
前記フラップは、１１ｍｍと１６ｍｍとの間の離間距離で前記鈎状ストリップ部材から配置されている、請求項１７に記載の頭部拘束組立体。
【請求項１９】
前記保持部材は工業用プラスチックからなる、請求項１５に記載の頭部拘束組立体。
【請求項２０】
前記保持部材は鋼からなる、請求項１５に記載の頭部拘束組立体。
【請求項２１】
前記カバー組立体は、織物、ポリ塩化ビニル、および革を含む群から選択された材料からなる、請求項１５に記載の頭部拘束組立体。
【請求項２２】
頭部拘束組立体であって、
保持手段を含む支持手段と、
前記支持手段に連結されかつ前記保持手段へのアクセスを許すように形成された枕と、ならびに
後方端および前方端を有するカバー手段とからなり、
前記カバー手段は前記枕を包囲しかつ該枕の形状に順応し、前記カバー手段は前記後方端に連結された平坦ストリップ部材と、前記前方端に連結された係合手段とを含み、前記平坦ストリップ部材および前記係合手段が前記保持手段内で互いに連結して前記カバー手段を閉じるようになされている、
頭部拘束組立体。
【請求項２３】
前記支持手段上での前記枕の移動を防止するように、前記支持手段に配置されかつ前記枕に接触するように形成された接着手段を含む、請求項２２に記載の頭部拘束組立体。
【請求項２４】
前記カバー手段の前記前方端に隠蔽手段を含み、該隠蔽手段が前記平坦ストリップ部材および前記係合手段を前記保持手段内に隠すように形成されている、請求項２２に記載の頭部拘束組立体。
【請求項２５】
前記隠蔽手段は、１１ｍｍと１６ｍｍとの間の離間距離で前記係合手段から配置されている、請求項２４に記載の頭部拘束組立体。
【請求項２６】
前記保持手段は工業用プラスチックからなる、請求項２２に記載の頭部拘束組立体。
【請求項２７】
前記保持手段は鋼からなる、請求項２２に記載の頭部拘束組立体。
【請求項２８】
前記カバー手段は、織物、ポリ塩化ビニル、および革を含む群から選択された材料からなる、請求項２２に記載の頭部拘束組立体。
【発明の詳細な説明】
【技術分野】
【０００１】
本発明は、座席設備組立体、特に頭部拘束組立体および頭部拘束組立体を製造する方法に関する。
【背景技術】
【０００２】
頭部拘束組立体または様々な設計および構造の頭部支えは、頭部を支持するために車両、特に自動車およびトラックに使用されている。このような頭部支えは、適切なパッドによって包囲された金属またはプラスチック本体と自動車背もたれから延びるポストに支持されたカバーとから通常はなっている。本体は、頭部支え組立体のパッドおよびカバーを支持するフレーム構造を与える。このような頭部支えは、背もたれに関して調節可能でもよい。
【０００３】
頭部拘束組立体の一製造方法は、金型内発泡法として言及されているものを使用することである。高温の材料がカバー組立体内に注入される。カバー組立体は、接着剤層によって被覆材料の内面に付着された約３ｍｍの稠密な発泡体の積層を含む。金型内発泡による頭部支えは、それに使用される様々なタイプの材料の結果として、「ソフトタッチ」感触が達成されない。さらに、金型内発泡材料が冷却したとき、それは縮む傾向があり、美感上受け入れ難いと思われるマッピング（細かい凹凸）効果をつくる。さらに、金型内発泡法はカバー材料、特にカバー材料が革である場合には、裏まで貫通する傾向がある。これに対処しようとすれば、革は硬く厚い感触となり、美感上受け入れ難くもなる。頭部拘束組立体のカバー材料が革であるとき、これらの問題のいくつかを避けるために用いられる一技術は、最もしっかりとした、稠密な繊維構造、特に中心部分を有する皮革の最良部分のみを使用することであるが、しかしこのような材料を使用することは費用がかかり効率が悪い。
【０００４】
従来の頭部支えは、頭部支え本体または枕を支持ロッドに取り付けるためのボルトおよびナット等の様々な締結具を通常は必要とし、また、支持ロッドに関する頭部支え本体または枕の回動を許すためのブッシュを必要とする。また、頭部支えの美感特性は、座席および内部組立体等の他の車両特徴に相応した品質がなければならない。特に最高級自動車（一般にラグジュアリー・カーと言われている）においては、頭部支え枕を覆う材料のいかなるレベルの皺（またはグランドファザリング）も許容されない。
【発明の開示】
【発明が解決しようとする課題】
【０００５】
したがって、品格があり、使用において支障のないカバー組立体の閉鎖体を使用する頭部拘束組立体の要請がある。組立体の費用を最少に維持するために最少時間で組み立てられうる頭部拘束組立体がさらに要請される。カバーの皺（またはグランドファザリング）を排除する頭部拘束組立体を製造する方法の要請もある。
【課題を解決するための手段】
【０００６】
本発明は、次の工程からなる頭部拘束組立体を製造する方法であって、枕を設ける工程、枕を真空機械に乗せる工程、枕をバッグで覆う工程、バッグ内の枕から真空機械によって空気を引き抜く工程、前方端および後方端をもつ面パネルを有するカバー組立体を設ける工程、枕上にカバー組立体を置く工程、バッグおよびカバー組立体内の枕に空気を入れて枕がカバー組立体内で膨張するようにする工程、次いでカバー組立体から延びるバッグ材料を調整する工程、フレーム組立体を設ける工程、フレーム組立体を枕に入れる工程、カバー組立体の面パネルの後方端をフレーム組立体に挿入する工程、カバー組立体の面パネルの前方端をフレーム組立体に挿入し、カバー組立体の面パネルの前方端および後方端をフレーム組立体内で一体に連結する工程からなる頭部拘束組立体製造方法を提供する。別の実施例は、平坦ストリップ部材をカバー組立体の面パネルの後方端に縫い付ける工程、および鈎状ストリップ部材をカバー組立体の面パネルの前方端に縫い付ける工程を含む。本発明の別の実施例は、鈎状ストリップ部材から離間された距離で面パネルの前方端上にフラップを形成する工程を含む。
【０００７】
本発明は、頭部拘束組立体のカバー組立体の一部分を保持する保持装置をさらに提供する。頭部拘束組立体は、フレーム組立体、そのフレーム組立体に連結された枕、ならびに前方端および後方端を有するカバー組立体を含む。頭部拘束組立体は、カバー組立体の後方端に連結された平坦ストリップ部材と、カバー組立体の前方端に連結された鈎状ストリップ部材と、フレーム組立体に連結された保持部材とを備えている。保持部材は、平坦ストリップ部材および鈎状ストリップ部材を受けかつ保持するように形成されたる。平坦ストリップ部材および鈎状ストリップ部材は、カバー組立体の端に取り付けられていて、保持部材に食い込まされている。保持装置の別の実施例は、カバー組立体の前方端に縫い付けフラップを含み、その縫い付けフラップが平坦ストリップ部材および鈎状ストリップ部材を保持部材内に隠すように形成されている。
【０００８】
本発明は、保持部材を含むフレーム組立体と、フレーム組立体に連結されかつ保持部材への接近を許すように形成された枕と、ならびに後方端および前方端を有し、枕を包囲しかつ枕の形状に順応するカバー組立体とを備えた頭部拘束組立体を提供する。カバー組立体は、後方端に連結された平坦ストリップ部材と、前方端に連結された鈎状ストリップ部材とを含む。平坦ストリップ部材および鈎状ストリップ部材が保持部材内で互いに連結してカバー組立体を閉じる。別の実施例は、枕の移動を防止するように、フレーム組立体に配置されかつ枕に接触するように形成された接着剤のビードを含む。別の実施例は、カバー組立体の前方端にフラップを含み、そのフラップは平坦ストリップ部材および鈎状ストリップ部材を保持部材内に隠すように形成されている。
【０００９】
本発明は、保持手段を含む支持手段を備えた頭部拘束組立体をさらに提供する。枕が支持手段に連結され、その枕が保持手段への接近を許すように形成される。カバー手段は、後方端および前方端を有し、枕を包囲しかつその枕の形状に順応する。カバー手段は後方端に連結された平坦ストリップ部材と、カバー手段の前方端に連結された係合手段とを含む。平坦ストリップ部材および係合手段は保持手段内で互いに連結してカバー手段を閉じる。別の実施例は、枕の移動を防止するように、支持手段に配置されかつ枕に接触するように形成される接着手段を含む。別の実施例は、カバー手段の前方端に隠蔽手段を含み、その隠蔽手段が平坦ストリップ部材および係合手段を保持手段内に隠すように形成されている。
【発明を実施するための最良の形態】
【００１０】
代表的な実施例に関して詳細な記載を開始する前に、いくつかの一般的な見解が本発明の適応性および範囲に関して保証される。
図面は、乗用車、ＳＵＶ（多目的スポーツ車）、バン、トラック、バス等の自動車に特に適用される座席（椅子として言及されてもよい）に関係するが、本発明は家庭、オフィス、航空機、船舶、またはその他の環境に用いられる座席にも適用可能である。
【００１１】
第２に、図示した頭部拘束組立体は、パッドを詰められ、特定の輪郭、トリム等を有する。この形体は一例として図示されているが、広範囲の頭部拘束組立体形体および外観が、図示例に関連して記載された保持装置および製造方法の使用により実現化される。また、頭部拘束組立体の外部は、織物、ポリ塩化ビニル（ビニル）、革、または当該技術において公知公用のその他の材料によって被覆されうる。
【００１２】
第３に、ここに記載された頭部拘束組立体に関しては、実質的な変更が発明者の意図した範囲から逸脱せずになされうる。例えば、特定の機械的システムが特定な結果を達成するよう構成部品を組み立てるように記載されているが、他の機構、手動、動力によって置き換えられうる。例えば、スクリュウ・ロッドが座席に関して頭部拘束を動かすように用いられてもよい。追加の輪郭が空気袋またはその他の空圧機構の使用を介して形成されてもよい。支持組立体が座席に取り付けられるか、あるいはそれが特別の座席に関して車両内でその他の適切な支持フレーム構造に取り付けられてもよい。それは、その他の公知のまたは後に開発された支持機構によって置き換えられてもよい。
【００１３】
図面を参照すれば、図１は座席５を示し、頭部拘束組立体１０が座席５に連結されている。頭部拘束組立体１０は、フレーム組立体２０、保持装置３２、枕４０、カバー組立体５０を備えている。図１Ａは、頭部拘束組立体１０の代表的実施例を示す。
【００１４】
図２は、頭部拘束組立体１０の代表的実施例における原理的部品の分解斜視図を示す。頭部拘束組立体１０は、１対の垂直支持ロッド２２と横部材２６とを含むフレーム組立体２０を備えている。垂直支持ロッド２２および横部材２６は総体的に逆Ｕ字形状になっている。位置決め切欠き２４は、垂直支持ロッド２２に配置される。位置決め切欠き２４は、座席５に関して頭部拘束組立体１０を位置決めするように用いられる。頭部拘束組立体１０を位置決めするその他の手段、例えば、摩擦クランプまたはピンおよび穴等が利用されてもよいことを理解されたい。支持ロッド２２および横部材２６は、一体の部品から形成されるか、または溶接もしくは機械的締結具によって一体に締結された別部品から形成されてもよい。
【００１５】
保持部材３０は、フレーム組立体２０に連結される。保持部材３０はほぼＵ字形状断面をしていて、閉鎖端２８および開放端２７を形成する。保持部材３０の開放端２７は、図２に示すように、フレーム組立体２０の横部材２６から離れた方の側に位置づけられる。保持部材３０の断面が図６に示されている。保持部材３０は、後述する保持装置３２の一部である。保持部材３０は、ここで述べる目的のために十分な強度および弾性を有する鋼または工業用プラスチック等の適切な材料からつくられてもよい。それは、溶接、接着剤、またはネジもしくはナットおよびボルト等の機械的締結具によってフレーム組立体２０に連結されてもよい。
【００１６】
枕４０は、フレーム組立体２０に連結され、保持部材３０にアクセスを許すように形成される。枕４０は、通常、形成通路（形成された通路）４２を有する成型冷間硬化発泡体である。形成通路４２は、フレーム組立体２０が枕４０の形成通路４２内に収まるように、フレーム組立体２０の形状に対応して形成される。機械的な締結機構は枕４０をフレーム組立体２０に固定するために必要ではないが、接着剤のビード（点在するように配置された接着剤）がフレーム組立体２０上で枕４０の移動を防止するために用いられてもよい。
【００１７】
後方端５９および前方端５７を有するカバー組立体５０は、枕４０を包囲しかつその形状に順応するように形成される。図３は、２つの側面部材５２および面パネル５４を含むカバー組立体５０の３つの構成部品の代表的実施例を示す。面パネル５４は、前方端５７および後方端５９を有する。面パネル５４の外面５５は、最終頭部拘束組立体１０において見られる面である。内面５６は、枕４０に対向する面パネル５４の面である。面パネル５４の前方端５７は、１対のＶ字状切欠き５８を含む。面パネル５４の後方端５９は、１対のスリット６０を含む。カバー組立体５０は、織物、ポリ塩化ビニル（ビニル）、および革からなる群から選択される。
【００１８】
カバー組立体５０を面パネル５４に組み立てる際に、部品が材料５１の内面５６に縫い付けられる。側面パネル５２が面パネル５４に縫い付けられた後に、組立体が右側を外に折り曲げられて、面パネル５４の外面５５が右側を外に出す。この形体（材料５１の内側の縫い付け線）によって、縫い付け線の微細制御および品質が最終カバー組立体５０に上品で簡潔な外観を与える。
【００１９】
金型内発泡法において経験する追加の問題は、発泡体がカバー組立体の縫い付け縁に沿って針穴を通して「滲み出る」ことであった。この滲みを解決するために、高密度発泡パッドが、縫い付け前のカバー材料の内面に接着されていた。これは組立体に余分な費用を課すことになる。このような問題、特に滲み出し効果は、ここに開示された方法によって回避される。
【００２０】
カバー組立体５０は、面パネル５４の後方端５９に連結された平坦ストリップ部材６２を含む。鈎状（バーブ、ｂａｒｂ：矢じりや釣り針の返りのような形状）ストリップ部材６４は、面パネル５４の前方端５７に連結される。図４ないし図６参照。図６に示す平坦ストリップ部材６２は、２つのスリット６０（図３）の間で面パネル５４の後方端５９に縫い付けられる。
【００２１】
前方端５７の縁をそれ自体の上に折り曲げかつ第１縫い目線６８を面パネル５４の前方端５７にほぼ沿って、少なくとも２つの切欠きの間の箇所で縫い付けることによって、フラップ６１が面パネル５４の前方端５７に形成される。縫い付けられたフラップ６１は、１１ｍｍと１６ｍｍとの間の離間距離で鈎状ストリップ部材６４から位置づけられる。面パネル５４の前方端５７は、面パネル５４の材料５１が鈎（バーブ）６６に対接して鈎状ストリップ部材６４と整列される。図４および５参照。第２縫い目線７０は、面パネル５４の前方端５７を鈎状ストリップ部材６４に連結する。図５参照。２つのストリップ部材６０、６４を面パネル５４に取り付ける別の方法として、適切な接着剤または機械的締結具（例えば、リベット）等を使用できることが意図されている。
【００２２】
頭部拘束組立体１０を製造する方法は、枕４０を設けることと、枕４０を図７に示すような真空機械６に乗せることとを含む。真空機械６は、枕４０を受けるように形成された真空ヘッド６Ａを含む。真空機械６は、枕４０から空気を引き抜き、後述するように、枕４０に空気を戻すように慣用の制御器７によって制御される。
【００２３】
枕４０が真空ヘッド６Ａに置かれた後、バッグ８が枕４０に置かれる。バッグ８は、ポリエチレン、ポリ塩化ビニル、またはポリプロピレン等の任意の適切な材料からつくられる。真空機械６は次いで枕４０から空気を引き抜き、発泡体枕４０のサイズを減少する。（枕４０を通して動く空気流（矢印）および真空機械６の真空ヘッド６Ａを示す図８を参照。）カバー組立体５０は次いで空気削減枕４０上に置かれる。真空機械６の制御器７は、枕４０に空気を戻すように操作されて、枕４０をカバー組立体５０内に膨張させる。カバー組立体５０を外側に伸長するバッグ８の一部分は、その一部分がカバー組立体５０の境界内で完全に拘束されうるように整えられる。枕４０およびバッグ８は次いで真空機械６から取り除かれる。フレーム組立体２０は、それが枕４０の形成通路４２内に収まり、保持部材３０がカバー組立体５０内で接近可能ではあるが完全に拘束されるように、枕内に挿入される。接着剤のビードがフレーム組立体２０および枕４０の冷間硬化発泡体に塗布されて構造体間の移動を防止する。
【００２４】
カバー組立体５０の面パネル５４の後方端５９は、フレーム組立体２０内に、特に保持部材３０の開放端２７内に挿入される。面パネル５４の前方端５７は、保持部材３０の開放端２７を介してフレーム組立体２０に挿入される。平坦ストリップ部材６２および鈎状ストリップ部材６４を伴った面パネル５４の後方端５９および前方端５７の両者は、保持部材３０内に拘束され、それにより保持装置３２を形成する。保持部材３０においてカバー組立体５０の面パネル５４の２つの端５７および５９によって、鈎６６が後方端５９を平坦ストリップ部材６２に押し付けて、保持部材３０の開放端２７よりも大きい組合せ枠をつくる。フラップ６１は、保持部材３０の開放端２７に定置されてカバー組立体５０を閉じる。図６および図１０Ａ参照。面パネル５４の前方端５７および後方端５９にかかる張力は、保持部材３０から離れる方向にある。この張力は、端５７、５９を引張り、平坦ストリップ部材６２および鈎状ストリップ部材６４を一体に押し付けて、面パネル５４の前方端５７および後方端５９を保持部材３０内に維持する。
【００２５】
図９および図１０を参照すれば、バイス（万力）・ジグ８０が示されている。バイス・ジグ８０は、ベース８２、固定ジョー８４、可動ジョー８６からなる。アクチュエータ８８は、可動ジョー８６に連結され、ジグ制御器８９によって制御される。アクチュエータ８８は、空圧シリンダ、油圧シリンダ、または手動ラチェット・ジャック等の任意慣用形式のものでよい。
【００２６】
組立工程中、フレーム組立体２０、枕４０、カバー組立体５０は、図９に示すように、バイス・ジグ８０に置かれる。アクチュエータ８８が作動されて可動ジョー８６を固定ジョー８４に向けて押し付け、それにより図１０に示すように頭部拘束組立体１０の枕４０を圧縮する。このような作用は、枕４０を圧縮し、カバー組立体５０内に緩みを与える。カバー組立体５０内のこのような緩みは、面パネル５４の前方端５７および後方端５９を、上述しかつ図１０Ａに示すように、保持部材３０への挿入操作を許す。枕４０がバイス・ジグ８０内で圧縮されている間に、接着剤３１のビードが、上述したように、保持部材３０内に置かれる。図６に示すように、面パネル５４の前方端５７および後方端５９を保持部材３０に挿入した状態で、バイス・ジグ８０のアクチュエータ８８が作動されて可動ジョー８６を動かし、頭部拘束組立体１０をバイス・ジグ８０から解除する。このような作用は、枕４０を減圧し、面パネル５４の緊縮を終了し、上述した張力を与える。
【００２７】
図１１および図１２は、最終組立形体の頭部拘束組立体１０の代表的実施例を示す。図１１は、カバー組立体５０の面パネル５４上の縫い付けフラップ６１によって保持部材３０内に平坦ストリップ部材６２および鈎状ストリップ部材６４を隠蔽していることを特に示す。図１２は、図１Ａの線１２−１２から見た頭部拘束組立体１０の断面を示し、また、上述した様々な部品の関係を示す。
【００２８】
このようにして、頭部拘束組立体およびその製造方法が開示された。図面に示す実施例は明細書で言及したものを示しているが、これらの実施例は単なる一例を提案しているに過ぎないことを理解されたい。本発明は、任意の格別な実施例に限定されるように意図されてはおらず、添付特許請求の範囲内に入る様々な変更まで延長するように意図されている。例えば、遠隔制御アクチュエータが垂直支持ロッドに連結されて頭部拘束組立体を座席に関して移動させることが意図されてもよい。枕は、材料が枕に「ソフトタッチ感触」を与えかつカバー組立体の縫い付け線をカバー組立体材料が貫通または滲み出すことがない場合には、冷間成型発泡体以外の材料からなっていてもよいことが意図されている。追加の変更は、当業者にとっては自明であろう。
【図面の簡単な説明】
【００２９】
【図１】図１は座席に連結された頭部拘束組立体の代表的実施例の斜視図である。図１Ａは、完全に組み立てられた頭部拘束組立体の代表的実施例の斜視図である。
【図２】頭部拘束組立体の代表的実施例の分解斜視図であって、組立体のいくつかの要素関係を示す。
【図３】頭部拘束組立体用カバー組立体の構成部品を示す代表的実施例の平面外観図である。
【図４】鈎状ストリップ部材の代表的実施例の部分斜視図であって、カバー組立体の面パネルの前方端を鈎に対して配置することを示す。
【図５】鈎状ストリップ部材および形式的なフラップを有するカバー組立体の面パネル前方端連結部の部分断面図である。
【図６】図１Ａの６−６線から見た頭部拘束組立体の部分断面図であって、保持装置を示す。
【図７】真空機械上で頭部拘束組立体の代表的実施例を組み立てるさいの要素関係を示す分解斜視図である。
【図８】頭部拘束組立体の組立工程の概略図であって、真空機械によって枕、バッグ、カバー組立体から空気（矢印）を排出する過程を示す。
【図９】カバー組立体の面パネルの後方端および前方端を挿入する以前におけるバイス・ジグ内にある頭部拘束組立体の代表的実施例の斜視図である。
【図１０】図１０は図９の頭部拘束組立体の斜視図であって、カバー組立体の面パネルの後方端および前方端の挿入を容易にするために、バイス・ジグの可動ジョーが枕およびカバー組立体を圧縮している状態を示す。図１０Ａは、図１０の１０Ａ−１０Ａ線から見た頭部拘束組立体の部分断面図であって、カバー組立体の面パネルの後方端および前方端を保持装置の保持部材内に挿入することを示す。
【図１１】組み立てられた頭部拘束組立体の代表的実施例の平面図であって、カバー組立体の面パネル上に縫い付けられたフラップによって保持部材内に平坦ストリップ部材および後方ストリップ部材を隠蔽している状態を示す。
【図１２】図１Ａの１２−１２線から見た頭部拘束組立体の断面図である。
【図１】
2005536280.tif 000003
【図２】
2005536280.tif 000004
【図３】
2005536280.tif 000005
【図４】
2005536280.tif 000006
【図５】
2005536280.tif 000007
【図６】
2005536280.tif 000008
【図７】
2005536280.tif 000009
【図８】
2005536280.tif 000010
2005536280.tif 000011
【図９】
2005536280.tif 000012
【図１０】
2005536280.tif 000013
【図１１】
2005536280.tif 000014
【図１２】
2005536280.tif 000015
【国際調査報告】
2005536280.tif 000016
2005536280.tif 000017
2005536280.tif 000018